【手続補正書】
【提出日】平成16年3月12日(2004.3.12)
【手続補正１】
【補正対象書類名】明細書
【補正対象項目名】全文
【補正方法】変更
【補正の内容】
【発明の名称】電気掃除機用吸込み具及びそれを用いた電気掃除機
【特許請求の範囲】
【請求項１】上方カバー体と、下面開口の塵埃通路を有する下方カバーと、前記塵埃通路の中央に位置する中央吸気部と、前記塵埃通路と分離された連通通路と、上方カバー体に設けられ前記連通通路に連通すると共に前方より空気を取り入れる複数の吸気口と、前記連通通路と前記塵埃通路を連通する複数の排気口を備えた電気掃除機用吸込み具。
【請求項２】連通通路に臨む排気口を後方に向けて、複数の吸気口から流入する空気の流れを前記連通通路内で反転させるようにした請求項１記載の電気掃除機用吸込み具。
【請求項３】複数の排気口の間に前方吸気部を配した請求項１または２記載の電気掃除機用吸込み具。
【請求項４】中央吸気部に対向する塵埃通路の側壁に中央吸気部側に突出する突出部を設けた請求項１〜３のいずれか１項記載の電気掃除機用吸込み具。
【請求項５】塵埃を吸引する電動送風機と、塵埃を捕集する集塵室と、前記集塵室に連通する吸込口を備え、請求項１〜４のいずれか１項記載の電気掃除機用吸込み具を前記吸込口側に連通接続するようにした電気掃除機。
【発明の詳細な説明】
【０００１】
【発明の属する技術分野】
本発明は、一般家庭で使用される電気掃除機用吸込み具及びそれを用いた電気掃除機に関するものである。
【０００２】
【従来の技術】
従来の電気掃除機用吸込み具は図１０、１１に示すように、上方カバー体１９と、側方吸気部２０と左右一対に配した前方吸気部２１を有した塵埃通路２２を配した下方カバー体２３及び、塵埃通路２２の中央に位置し、床面方向に開口する中央吸気部２４を備えていた。
【０００３】
上記構成により、下方カバー体２３と床面との間は勿論のこと、側方吸気部２０、及び前方吸気部２１からも空気を取り入れ、中央吸気部２４から吸込むことで、床面の塵埃を取り除いていた。
【０００４】
また、近年、図１２〜１６に示すように、左右一対の吸気口２５を有した上方カバー体２６と、側方吸気部２７を有した塵埃通路２８及び、左右一対の吸気口２５から取り入れた空気を塵埃通路２８に排出する排気口２９を左右一対に配した下方カバー体３０と、上方カバー体２６の上方隔離壁３１と下方カバー体３０の下方隔離壁３２から構成され、吸気口２５と排気口２９を連通する左右独立の連通通路３３と、塵埃通路２８の中央に位置し、床面方向に開口する中央吸気部３４を備えているものも出てきている。なお、中央吸気部３４に対向する塵埃通路２８の側壁３５はフラットとなっていた。
【０００５】
上記構成のものでは、左右独立に吸気口２５からの吸気と排気口２９からの排気をし、塵埃通路２８の中で排気口２９から排出される空気が床面とぶつかることで渦気流を引き起こし、床面から塵埃を巻き上げ、集塵性を向上させていた。
【０００６】
また、図１０、１１で示したものよりも空気の取り込み量が多く、下方カバー体３０と床面との間に発生する吸着圧力が低減し、吸込み具３６を移動させる際の操作力の低減も実現していた。
【０００７】
【発明が解決しようとする課題】
図１０、１１で示した従来の電気掃除機用吸込み具では、空気の取り込み量が少なく、下方カバー体２３と床面との間に発生する吸着圧力が高く、吸込み具３７を移動させる際の操作力が大きく、掃除作業が大変であった。また、塵埃通路２２の下方に位置する床面上では、空気が中央吸気部２４に向かって流れるのみで、集塵能力が十分とは言えなかった。
【０００８】
一方、図１２、１３で示した従来の電気掃除機用吸込み具では、図１４〜１６に示すように、上方隔離壁３１と下方隔離壁３２から構成される左右独立の連通通路３３を介して吸気と排気を行っていたので、吸気口２５もしくは排気口２９が塵埃により詰まってしまうと、渦気流の発生させることができなくなり、集塵性が低下してしまうという問題があった。さらに、電気掃除機本体の集塵室に塵埃が溜まり、中央吸気部３４からの吸気量が減少すると排気口２９から排出される排気量も減少し、側方吸気部２７から中央吸気部３４へ向かう気流に打ち消され、渦気流の安定した発生が困難であり、集塵性が低下し易かった。
【０００９】
また、連通通路３３は狭い空間であり、吸気口２５から連通通路３３に吸気された空気は非常に乱れた気流となって排気口２９から排気されるため、排気音が大きくなってしまうと共に、吸気と排気が同一方向からなされていたので、排気口２９からの排気音や中央吸気部３４からの吸気音といった吸込み具３６の底面から発生する音が吸気口２５から漏れ易いという問題もあった。
【００１０】
さらに、中央吸気部３４に対向する塵埃通路２８の側壁３５がフラットとなっていると、塵埃通路内２８で発生した渦気流が中央吸気部３４から吸込まれ急激に方向を変える際に、スムーズな吸気が行われないと共に、吸込み具３６の底面で最も吸着圧力の高い中央吸気部３４が接触面積不足により床面に沈み込もうとし、操作力がアップしてしまうという問題もあった。
【００１１】
本発明は、以上のような従来の課題を解決しようとするものであって、集塵性を向上した上で、騒音と操作力の低減を実現した電気掃除機用吸込み具及び掃除作業性に優れた電気掃除機を提供することを目的としている。
【００１２】
【課題を解決するための手段】
上記目的を達成するために本発明は、上方カバー体と、下面開口の塵埃通路を有する下方カバー体と、前記塵埃通路の中央に位置する中央吸気部と、前記塵埃通路と分離された連通通路と、上方カバー体に設けられ前記連通通路に連通すると共に前方より空気を取り入れる複数の吸気口と、前記連通通路と前記塵埃通路を連通する複数の排気口を備えた構成とする。
【００１３】
上記構成により、上方カバー体の複数の吸気口と下方カバー体の複数の排気口は連通しているため、いずれかの吸気口もしくは排気口が塵埃により詰まってしまった場合にも渦気流の発生を可能とし、集塵性の低下を軽減できると共に、上方カバー体から連通通路に取り入れられた空気は、複数の吸気口から大量に取り入れられていることと、連通通路が広いことから、一旦連通通路内で整流された後排気口から塵埃通路に排出されるため、排気音を低減できる。
【００１４】
【発明の実施の形態】
本発明の請求項１記載の発明は、上方カバー体と、下面開口の塵埃通路を有する下方カバー体と、前記塵埃通路の中央に位置する中央吸気部と、前記塵埃通路と分離された連通通路と、上方カバー体に設けられ前記連通通路に連通すると共に前方より空気を取り入れる複数の吸気口と、前記連通通路と前記塵埃通路を連通する複数の排気口を備えた構成とするもので、上方カバー体の複数の吸気口と下方カバー体の複数の排気口は連通しているため、いずれかの吸気口もしくは排気口が塵埃により詰まってしまった場合にも渦気流の発生を可能とし、集塵性の低下を軽減できると共に、上方カバー体から連通通路に取り入れられた空気は、複数の吸気口から大量に取り入れられていることと、連通通路が広いことから、一旦連通通路内で整流された後排気口から塵埃通路に排出されるため、排気音を低減できる。
【００１５】
本発明の請求項２記載の発明は、連通通路に臨む排気口を後方に向けて、複数の吸気口から流入する空気の流れを前記連通通路内で反転させるもので、連通通路内で気流を迂回させることが可能となり、排気口からの排気音や中央吸気部からの吸気音といった、吸込み具の底面から発生する音が直接上方カバー体の吸気口から漏れることを軽減できる。
【００１６】
本発明の請求項３記載の発明は、複数の排気口の間に前方吸気部を配するもので、掃除機本体の集塵室に塵埃が溜まり、中央吸気部からの吸気量が減少し、下方カバー体の排気口から排出される排気量が減少した場合にも、前方吸気部から取り入れた空気の気流は渦気流を加速する方向の気流であるため、安定した渦気流の発生を可能とし、集塵性能の低下を軽減できる。
【００１７】
本発明の請求項４記載の発明は、中央吸気部に対向する塵埃通路の側壁に中央吸気部側に突出する突出部を設けるもので、塵埃通路内で発生した渦気流が中央吸気部から吸込まれ急激に方向を変える際に、スムーズな吸気を実現すると共に、吸込み具の底面で最も吸着圧力の高い中央吸気部近傍の接触面積を増やし、下方カバー体の床面への沈み込みを少なくし、操作力のアップを低減できる。
【００１８】
本発明の請求項５記載の発明は、塵埃を吸引する電動送風機と、塵埃を捕集する集塵室と、前記集塵室に連通する吸込口を備え、請求項１〜４のいずれか１項記載の電気掃除機用吸込み具を前記吸込口に連通接続するようにした電気掃除機とするもので、掃除作業性に優れた電気掃除機を提供することができる。
【００１９】
【実施例】
以下本発明の実施例を、図１〜１０を用いて説明する。
【００２０】
図２において、２は電気掃除機本体で、電動送風機２ａ、集塵室２ｂを内蔵している。２ｃは吸込口で、集塵室２ｂに連通すると共に、ホース３の一端が接続される。吸込み具１は、延長管４を介してホース３の他端に接続されている。
【００２１】
吸込み具１は、図３、５に示すように、左右一対の吸気口５と、上方吸気口６を有した上方カバー体７と、図４、５に示すように、側方吸気部８と左右一対に配した前方吸気部９を有した塵埃通路１０及び、吸気口５及び上方吸気口６から取り入れた空気を塵埃通路１０に排出する外側排気口１１と内側排気口１２を左右一対に配した下方カバー体１３と、塵埃通路１０の中央に位置し、床面方向に開口する中央吸気部１４を備えている。
【００２２】
図１に示すように、上方カバー体７の上方隔離壁１５（図６）と、下方カバー体１３の下方隔離壁１６（図７）により仕切られた空間は、左右一対の吸気口５と上方吸気口６と、左右一対の外側排気口１１と内側排気口１２とを連通する連通通路１７を構成している。ここで、左右一対の前方吸気部９は左右一対の外側排気口１１と内側排気口１２との間に配している。
【００２３】
また、図１に示すように、左右一対の吸気口５と上方吸気口６からの吸気は吸込み具１の前方から吸気すると共に、吸気された空気は左右一対の外側排気口１１と内側排気口１２の後方から吸込まれ、塵埃通路１０に排出される。さらに、図４に示すように、中央吸気部１４に対向する塵埃通路１０の側壁に中央吸気部１４の方向へ突出する突出部１８を配している。
【００２４】
上記構成による作用は以下の通りである。すなわち、左右一対の吸気口５と上方吸気口６から吸気された空気は、一旦連通通路１７の中で合流された後、左右一対の外側排気口１１と内側排気口１２から塵埃通路１０に排出される。塵埃通路１０に排出された空気は、床面にぶつかり渦気流を引き起こしながら、側方吸気部８から吸気した気流により中央吸気部１４の方向へ押しやられ、中央吸気部１４から延長管４とホース３を介して電気掃除機本体２に吸込まれる。
【００２５】
ここで、左右一対の吸気口５と上方吸気口６と、左右一対の外側排気口１１と内側排気口１２とが連通通路１７を介して連通しているため、吸気口５、上方吸気口６もしくは外側排気口１１、内側排気口１２どれかが塵埃により詰まってしまった場合にも渦気流の発生を可能とし、集塵性の低下を軽減できると共に、連通通路１７の内部では、吸気口５と上方吸気口６から大量に空気が流入することと、連通通路１７が広いことから、流入した空気は流速が低下し整流され外側排気口１１と内側排気口１２から塵埃通路１０に排出されるため、排気音を低減できる。
【００２６】
また、図１に示すように、左右一対の吸気口５及び上方吸気口６の吸気方向と外側排気口１１及び内側排気口１２の排気方向を逆方向とすることで、連通通路１７の中で気流を迂回させることが可能となり、外側排気口１１及び内側排気口１２からの排気音や中央吸気部１４からの吸気音といった、吸込み具１の底面から発生する音が直接左右一対の吸気口５及び上方吸気口６から漏れることを軽減することができる。
【００２７】
また、図９に示すように、塵埃通路１０の中で発生する渦気流は、外側排気口１１で発生した渦気流が前方吸気部９からの気流で加速され、この加速された渦気流がさらに内側排気口１２から発生する渦気流と合流しさらに加速されるので、電気掃除機本体２の集塵室２ｂに塵埃が溜まり、中央吸気部１４からの吸気量が減少し、外側排気口１１及び内側排気口１２から排出される排気量が減少した場合にも、安定した渦気流の発生を可能とし、集塵性の低下を軽減できる。
【００２８】
さらに、中央吸気部１４に対向する塵埃通路１０の側壁に中央吸気部１４の方向へ突出する突出部１８を配することで、塵埃通路１０で発生した渦気流が中央吸気部１４から吸込まれ急激に方向を変える際に、スムーズな吸気を実現すると共に、吸込み具の底面で最も吸着圧力の高い中央吸気部近傍の接触面積を増やし、下方カバー体の床面への沈み込みを少なくし、操作力のアップを低減できる。
【００２９】
【発明の効果】
本発明の請求項１記載の発明によれば、安定した渦気流の発生による集塵性の向上と、連通通路内での整流作用による騒音の低減が行える。
【００３０】
本発明の請求項２記載の発明によれば、連通通路内での気流の迂回作用による騒音の低減が行える。
【００３１】
本発明の請求項３記載の発明によれば、安定した渦気流の発生による集塵性の向上が行える。
【００３２】
本発明の請求項４記載の発明によれば、スムーズな吸気による集塵性の向上及び騒音の低減と、下方カバー体の床面への沈み込み軽減による操作性の向上が行える。
【００３３】
本発明の請求項５記載の発明によれば、集塵性を向上した上で、騒音と操作力の低減を実現した電気掃除機用吸込み具を用いることで、掃除作業性の向上が行える。
【図面の簡単な説明】
【図１】本発明の一実施例を示す電気掃除機用吸込み具の要部断面図
【図２】同電気掃除機の全体図
【図３】同電気掃除機用吸込み具の上面図
【図４】同電気掃除機用吸込み具の下面図
【図５】同電気掃除機用吸込み具の正面図
【図６】同電気掃除機用吸込み具の上方カバー体の下面図
【図７】同電気掃除機用吸込み具の下方カバー体の上面図
【図８】図５のＡ−Ａ断面図
【図９】図５のＢ−Ｂ断面図
【図１０】従来例を示す電気掃除機用吸込み具の上面図
【図１１】同電気掃除機用吸込み具の下面図
【図１２】他の従来例を示す電気掃除機用吸込み具の上面図
【図１３】同電気掃除機用吸込み具の下面図
【図１４】同電気掃除機用吸込み具の上方カバー体の下面図
【図１５】同電気掃除機用吸込み具の下方カバー体の上面図
【図１６】同電気掃除機用吸込み具の要部断面図
【符号の説明】
５  吸気口
６  上方吸気口
７  上方カバー体
８  側方吸気部
９  前方吸気部
１０  塵埃通路
１１  外側排気口
１２  内側排気口
１３  下方カバー体
１４  中央吸気部
１７  連通通路